(57)【特許請求の範囲】
【請求項１】
室内から空気を吸引する吸引部と、前記吸引部から空気を流送する送気部とを備えた環境制御装置の前記吸引部に用いられ、
中空の箱状をなし、
室内から空気を吸引する吸引孔と、
隣接する吸引ユニット又は前記送気部との間で空気を送受する連絡口と、を備え、
隣接する吸引ユニット、及び／又は前記送気部に対し着脱自在なブロック状に構成されたブロック式吸引ユニットであって、
蓋と、
前記蓋により閉塞される開口部を有する吸引ユニット本体と、を有し、
前記吸引孔が前記蓋に設けられており、
前記蓋は、前記吸引ユニットに直接載置又は固定され、
前記吸引ユニット本体は、直方体状をなし、開口部が設けられる面に対向する底面、及び当該底面に垂直な側面が外方へ突出する突起を有さない平面に形成され、
前記連絡口を内外いずれの側からも塞ぐことが可能な盲蓋を備えるブロック式吸引ユニット。
【請求項２】
室内から空気を吸引する吸引部と、前記吸引部から空気を流送する送気部とを備えた環境制御装置の前記吸引部に用いられ、
中空の箱状をなし、
室内から空気を吸引する吸引孔と、
隣接する吸引ユニット又は前記送気部との間で空気を送受する連絡口と、を備え、
隣接する吸引ユニット、及び／又は前記送気部に対し着脱自在なブロック状に構成されたブロック式吸引ユニットであって、
蓋と、
前記蓋により閉塞される開口部を有する吸引ユニット本体と、を有し、
前記吸引孔が前記蓋に設けられており、
前記蓋は、前記吸引ユニット本体に直接載置又は固定され、
前記吸引ユニット本体は、直方体状をなし、開口部が設けられる面に対向する底面、及び当該底面に垂直な側面が外方へ突出する突起を有さない平面に形成され、
前記吸引ユニット本体は、底面に高さ調整用のボルトを通すための貫通孔を備え、当該貫通孔は、底面より上方へ隆起した隆起部に設けられるブロック式吸引ユニット。
【請求項３】
前記吸引ユニット本体は、底面が正方形をなし、４つの側面のうち少なくとも1つの側面に連絡口が設けられるとともに、少なくとも１つの側面には連絡口が設けられていない請求項１又は請求項２に記載のブロック式吸引ユニット。
【請求項４】
前記蓋と交換可能で吸引孔を有さない蓋を備える請求項１から請求項３に記載のブロック式吸引ユニット。
【請求項５】
室内から空気を吸引する吸引部と、前記吸引部から空気を流送する送気部とを備えた環境制御装置の前記吸引部に用いられ、
中空の箱状をなし、
室内から空気を吸引する吸引孔と、
前記送気部との間で空気を送受する連絡口と、を備え、
前記送気部に対し着脱自在なブロック状に構成されたブロック式吸引ユニットであって、
両端面が直角三角形の三角柱状をなし、直角を挟んだ２側面が外方へ突出する突起を有さない平面に形成されているブロック式吸引ユニット。
【請求項６】
室内から空気を吸引する吸引部と、前記吸引部から空気を流送する送気部とを備えた環境制御装置の前記吸引部に用いられ、
中空の箱状をなし、
室内から空気を吸引する吸引孔と、
前記送気部との間で空気を送受する連絡口と、を備え、
前記送気部に対し着脱自在なブロック状に構成されたブロック式吸引ユニットであって、長板状に形成され、
長手方向の１側面に断面が円弧状の傾斜が形成され、前記傾斜を室内側にして側壁と床の間に設置するよう構成されているブロック式吸引ユニット。
【請求項７】
短手方向の側面に前記連絡口が設けられている請求項６に記載のブロック式吸引ユニット。
【請求項８】
室内から空気を吸引する吸引部と、
前記吸引部から空気を流送する送気部と、
前記送気部により流送された空気を室外へ排気する排気部と、
を備え、
前記吸引部は、請求項１から請求項７のいずれか１項に記載のブロック式吸引ユニットを吸引孔を上にして床面に配設することにより構成されている環境制御装置。
【請求項９】
室内から空気を吸引する吸引部と、
前記吸引部から空気を流送する送気部と、
前記送気部により流送された空気を室内へ給気する給気部と、を備え、
前記給気部は、ブロック式給気ユニットにより構成され、
前記ブロック式給気ユニットは、中空の箱状をなし、前記室内へ空気を供給する給気孔と、隣接する給気ユニット又は前記送気部との間で空気を送受する連絡口と、を備え、隣接する給気ユニット、及び／又は前記送気部に対し着脱自在なブロック状に構成され、両端面が直角三角形の三角柱状、又は両端面が直角台形の四角柱状をなし、直角を挟んだ２側面が外方へ突出する突起を有さない平面に形成され当該２側面のうちの１側面に前記連絡口が設けられている環境制御装置。
【請求項１０】
室内から空気を吸引する吸引部と、
前記吸引部から空気を流送する送気部と、
前記送気部により流送された空気を室外へ排気する排気部と、
を備え、
前記吸引部は、請求項１に記載のブロック式吸引ユニットが室内側を吸引口にして壁面及び床面の両方に配設されている環境制御装置。
【請求項１１】
部屋の対向する壁面のうち一方の壁面に吸引部を、他方の壁面に給気部を備え、
前記給気部及び吸引部が、ともに請求項１に記載のブロック式吸引ユニットを壁面に配設して構成されている環境制御装置。
【請求項１２】
室内に空気を供給する給気部と、前記給気部へ空気を流送する送気部とを備えた環境制御装置の前記給気部に用いられ、
前記室内の側壁に設けられ、
中空の箱状をなし、
前記室内へ空気を供給する給気孔と、
隣接する給気ユニット又は前記送気部との間で空気を送受する連絡口と、を備え、
隣接する給気ユニット、及び／又は前記送気部に対し着脱自在なブロック状に構成されたブロック式給気ユニットであって、
蓋と、
前記蓋により閉塞される開口部を有するユニット本体と、を有し、
前記給気孔が前記蓋に設けられており、
前記蓋は、前記ユニット本体に直接固定され、
前記ユニット本体は、直方体状をなし、開口部が設けられる面に対向する底面、及び当該面に垂直な側面が外方へ突出する突起を有さない平面に形成され、
前記連絡口を内外いずれの側からも塞ぐことが可能な盲蓋を備えるブロック式給気ユニット。
【発明の詳細な説明】
【技術分野】
【０００１】
この発明は、クリーンルームや無菌室等の室内環境を制御する環境制御装置、及びその構成部材に関する。
【背景技術】
【０００２】
従来、クリーンルームや無菌室等では、いわゆる垂直層流式や水平層流式、乱流式で室内の空気を流送する方式が用いられている。垂直層流式は、室内空気を二重床の内側の空間へ吸い込み、ダクトを介して二重天井の内側の空間へ流送したのち、天井内のファンフィルタユニット等により塵埃等を除去しながら室内へ還流する方式である。また、水平層流式は、室内を挟んで対向する壁面を二重壁として、一方の壁から他方の壁へ空気を層状に流送する方式であり、乱流式は二重天井から給気を行い二重壁とした側壁から吸引を行う方式である。【０００３】
一方、近年の医療施設では、白血病患者に対する造血幹細胞移植等の治療やセルプロセッシング等を無菌状態で行うために、既存の病室等をクリーンルームに改装するケースが増えている。ところが、上述した方式はいずれも床や天井、壁を二重構造とする必要があるため改装のための工期やコストが問題となっていた。【０００４】
そこで、近年では、例えば、特許文献１や特許文献２のように、既存の床上にいわゆるフリーアクセスを用いて簡易に床を二重構造とする垂直層流式のクリーンルームが利用されている。特許文献１のクリーンルームは、フリーアクセスと移動可能な壁面（特許文献１では「間仕切り」）とによりクリーンルームの床面積を適宜に変更可能としたものである。また、特許文献２は、室内空気の清浄度に偏りをなくすため、フリーアクセスで形成した二重床内にＬ字形状の還気ダクトを複数配したものである。
【先行技術文献】
【特許文献】
【０００５】
【特許文献１】特開昭５８−１８２０４６号公報
【特許文献２】特開２００７−１７８０６５号公報
【発明の概要】
【発明が解決しようとする課題】
【０００６】
ところが、特許文献１では、ダクトを兼ねる間仕切り壁の下方から床下空間の空気を吸引するようにしているため、部屋の位置によって間仕切り壁からの距離が異なり床から空気を吸引する速度が異なるという問題がある。【０００７】
これに対し、特許文献２では床下に還気ダクトを複数配し、この還気ダクトの吸引孔の位置と向きを工夫することにより、床のどの位置においても空気の吸引速度が均一となるようにしている。しかし、特許文献２のクリーンルームでは、床下の還気ダクトの設置に手間がかかるという問題や、室内のレイアウトに変更があった場合に、フリーアクセスの位置は変更できても床下の還気ダクトの位置は容易に変更できないため、レイアウトの変更範囲が制限されるという問題がある。【０００８】
また、特許文献１や特許文献２のようにフリーアクセスを用いたクリーンルームでは、床下が薬品や血液等で汚れた場合に、床下の空間が一体となって広がっているため薬品や血液が広がってしまうという問題や、フリーアクセスの支持脚が床下の洗浄や除菌の邪魔になるという問題が有る。【０００９】
本発明は、上記課題に鑑みてなされたものであり、部屋のレイアウトやその変更に合わせて簡易に空気の流送経路の設置や変更が可能で、二重壁や二重床の内部の洗浄や除菌を容易に行える環境制御装置の提供を目的とする。
【課題を解決するための手段】
【００１０】
上記の課題を解決するためになされた本発明のブロック式吸引ユニット（以下単に「吸引ユニット」ともいう）は、室内から空気を吸引する吸引部と、前記吸引部から空気を流送する送気部とを備えた環境制御装置の前記吸引部に用いられ、中空の箱状をなし、室内から空気を吸引する吸引孔と、隣接する吸引ユニット又は前記送気部との間で空気を送受する連絡口と、を備え、隣接する吸引ユニット、及び／又は前記送気部に対し着脱自在なブロック状に構成されており、蓋と、前記蓋により閉塞される開口部を有する吸引ユニット本体と、を有し、前記吸引孔が前記蓋に設けられており、前記蓋は、前記吸引ユニットに直接載置又は固定され、前記吸引ユニット本体は、直方体状をなし、開口部が設けられる面に対向する底面、及び当該底面に垂直な側面が外方へ突出する突起を有さない平面に形成され、前記連絡口を内外いずれの側からも塞ぐことが可能な盲蓋を備える。
ここで、「空気を送受する連絡口」とは、空気の送り出しと受け入れの両方に用いられる連絡口と、空気の送り出し又は受け入れの一方のみに用いられる連絡口の両方を含むものとする。
【００１１】
このように、本発明に係るブロック式吸引ユニットは、中空の箱状をなし隣接する吸引ユニットや送気部と空気を送受する連絡口を有することから、連結することにより吸引孔から吸引した室内空気を送気部まで流送するダクトの働きをすることができる。また、着脱自在なブロック状に構成されているため、積木ブロックのように容易に組立て可能である。また、吸引ユニット本体は箱状をなすため、内部に薬品や血液がこぼれても他の場所へ広がることを防止できる。また、ブロック式吸引ユニットは着脱自在であるため、薬品や血液等で汚れた場合は、取り外して洗浄や除菌を行うことができ、洗浄するために予備の吸引ユニットと交換することもできる。また、本発明のブロック式吸引ユニットは、蓋と、前記蓋により閉塞される開口部を有する吸引ユニット本体とを有し、前記吸引孔が前記蓋に設けられていることで、蓋を開けて内部を清掃できる。
【００１２】
また、本発明のブロック式吸引ユニットは、室内から空気を吸引する吸引部と、前記吸引部から空気を流送する送気部とを備えた環境制御装置の前記吸引部に用いられ、中空の箱状をなし、室内から空気を吸引する吸引孔と、隣接する吸引ユニット又は前記送気部との間で空気を送受する連絡口と、を備え、隣接する吸引ユニット、及び／又は前記送気部に対し着脱自在なブロック状に構成され、蓋と、前記蓋により閉塞される開口部を有する吸引ユニット本体と、を有し、前記吸引孔が前記蓋に設けられており、前記蓋は、前記吸引ユニットに直接載置又は固定され、前記吸引ユニット本体は、直方体状をなし、開口部が設けられる面に対向する底面、及び当該底面に垂直な側面が外方へ突出する突起を有さない平面に形成され、前記吸引ユニット本体が、底面に高さ調整用のボルトを通すための貫通孔を備え、当該貫通孔が、底面より上方へ隆起した隆起部に設けられるブロック式吸引ユニットを含む。
また、前記吸引ユニット本体は、底面が正方形をなし、４つの側面のうち少なくとも1つの側面に連絡口が設けられるとともに、少なくとも１つの側面には連絡口が設けられていないことが好ましい。
また、本発明のブロック式吸引ユニットは、前記蓋と交換可能で吸引孔を有さない蓋を備えることが好ましく、蓋を吸引孔の無い蓋に交換することでダクトのみの働きをさせることができる。
また、本発明は、室内から空気を吸引する吸引部と、前記吸引部から空気を流送する送気部とを備えた環境制御装置の前記吸引部に用いられ、中空の箱状をなし、室内から空気を吸引する吸引孔と、前記送気部との間で空気を送受する連絡口と、を備え、前記送気部に対し着脱自在なブロック状に構成されたブロック式吸引ユニットであって、両端面が直角三角形の三角柱状をなし、直角を挟んだ２側面が外方へ突出する突起を有さない平面に形成されたブロック式吸引ユニットや、長板状に形成され、長手方向の１側面に断面が円弧状の傾斜が形成され、前記傾斜を室内側にして側壁と床の間に設置するよう構成されているブロック式吸引ユニット、及び当該長板状のブロック式吸引ユニットであって、短手方向の側面に前記連絡口が設けられているブロック式吸引ユニットを含む。
【００１３】
本出願に係る発明の参考として挙げる送気ユニットは、室内から空気を吸引する吸引部と、前記吸引部からの空気を流送する送気部とを備えた環境制御装置の前記送気部に用いられる送気ユニットであって、中空の箱状をなし、空気の流送方向上流側から空気が流入する流入口と、空気の流送方向下流側へ空気が流出する流出口と、を備え、前記吸引部、及び他の送気ユニットのうち隣接する装置に対し、着脱自在なブロック状に構成されていることを特徴とする。このように、本発明の送気ユニットは着脱自在なブロック状に構成されているため既存の壁や天井に容易に設けることができる。
【００１４】
本発明は、室内から空気を吸引する吸引部と、前記吸引部から空気を流送する送気部と、前記送気部により流送された空気を室外へ排気する排気部と、を備え、前記吸引部は、上記のいずれかのブロック式吸引ユニットを吸引孔を上にして床面に配設することにより構成されている環境制御装置を含む。
また、本発明は、室内から空気を吸引する吸引部と、吸引部から空気を流送する送気部と、送気部により流送された空気を室内へ給気する給気部と、を備え、前記給気部は、ブロック式給気ユニットにより構成され、前記ブロック式給気ユニットは、中空の箱状をなし、前記室内へ空気を供給する給気孔と、隣接する給気ユニット又は前記送気部との間で空気を送受する連絡口と、を備え、隣接する給気ユニット、及び／又は前記送気部に対し着脱自在なブロック状に構成され、両端面が直角三角形の三角柱状、又は両端面が直角台形の四角柱状をなし、直角を挟んだ２側面が外方へ突出する突起を有さない平面に形成され当該２側面のうちの１側面に前記連絡口が設けられている環境制御装置を含む。
また、本発明は、室内から空気を吸引する吸引部と、前記吸引部から空気を流送する送気部と、前記送気部により流送された空気を室外へ排気する排気部と、を備え、前記吸引部は、上記の直方体状のブロック式吸引ユニットが室内側を吸引口にして壁面及び床面の両方に配設されている環境制御装置を含む。
また、本発明は、対向する壁面のうち一方の壁面に吸引部を、他方の壁面に給気部を備え、前記給気部及び吸引部が、ともに上記の直方体状のブロック式吸引ユニットを壁面に配設して構成されている環境制御装置を含む。
【００１５】
本発明の給気ユニットは、室内に空気を供給する給気部と、前記給気部へ空気を流送する送気部とを備えた環境制御装置の前記給気部に用いられる給気ユニットであって、前記室内の側壁に設けられ、中空の箱状をなし、前記室内へ空気を供給する給気孔と、隣接する給気ユニット又は前記送気部との間で空気を送受する連絡口と、を備え、隣接する給気ユニット、及び／又は前記送気部に対し着脱自在なブロック状に構成されている。例えば、水平層流式のクリーンルームでは、給気部が側壁に設けられる。ところが、病室等の側壁では酸素や空気、吸引のアウトレットを備えたいわゆるＯＡＶ等が邪魔になることが多く、高い空気清浄度を得られる水平層流式を断念して乱流式を採用するケースが多い。このように、壁面設置型の給気ユニットをブロック式とすることで、容易に障害物を回避して、側壁に給気ユニットを設置することができる。
加えて、本発明の給気ユニットは、蓋と、前記蓋により閉塞される開口部を有するユニット本体と、を有し、前記給気孔が前記蓋に設けられており、前記蓋は、前記ユニット本体に直接載置又は固定され、前記ユニット本体は、直方体状をなし、開口部が設けられる面に対向する底面、及び当該面に垂直な側面が外方へ突出する突起を有さない平面に形成され、前記連絡口を内外いずれの側からも塞ぐことが可能な盲蓋を備える。
【発明の効果】
【００１６】
以上説明したように、本発明の各ブロック式ユニット、及び環境制御装置によれば、容易にダクトの機能を設けることができるとともに、ブロック式ユニットの内部の洗浄や除菌を容易に行うことができる。
【図面の簡単な説明】
【００１７】
【図１】本発明の第１実施形態に係る環境制御装置を示した斜視図である。
【図２】図１に示した環境制御装置のブロック式吸引ユニットの斜視図である。
【図３】図２に示したブロック式吸引ユニットの吸引ユニット本体の斜視図である。
【図４】図３に示した吸引ユニット本体の（ａ）左側面図、（ｂ）平面図、（ｃ）右側面図、及び（ｄ）正面図である。
【図５】図２に示したブロック式吸引ユニットの蓋の（ａ）平面図、及び（ｂ）側面図である。
【図６】図１に示した環境制御装置のブロック式送気ユニットの斜視図である。
【図７】本発明の第１実施形態に係る吸引部と送気部とを組立てる様子を模式的に示    した斜視図である。
【図８】本発明の第２実施形態に係る（ａ）環境制御装置を示した斜視図、（ｂ）（ａ）に示したダクトユニットの斜視図である。
【図９】本発明の第２実施形態に係る吸引部と送気部とを組立てる様子を模式的に示    した斜視図である。
【図１０】本発明の第３実施形態に係る（ａ）環境制御装置、（ｂ）送気ユニットの斜視図である。
【図１１】本発明の第４実施形態に係る（ａ）環境制御装置を給気部の背面側から見た斜視図、（ｂ）吸引ブロックの斜視図、（ｃ）給気ブロックの斜視図、（ｄ）環境制御装置を吸引部の背面側から見た斜視図である。
【図１２】本発明の第５実施形態に係る環境制御装置を示した系統図である。
【図１３】（ａ）は、図１２に示した環境制御装置の吸引ユニットを送気ユニットに取り付けた様子を示す斜視図、（ｂ）は、図１２の給気ユニットを壁面に取り付けた様子を示す斜視図、（ｃ）は、（ａ）の吸引ユニットを背面側から見た斜視図、（ｄ）は（ｂ）の給気ユニットを上方から見た斜視図である。
【図１４】本発明の第６実施形態に係る環境制御装置を示した斜視図である。
【図１５】本発明の第７実施形態に係る環境制御装置を示した斜視図である。
【図１６】（ａ）は、本発明の第８実施形態に係る環境制御装置を示した斜視図、（ｂ）は、（ａ）の環境制御装置の一部を分解して示した斜視図である。
【図１７】（ａ）は、本発明の第９実施形態に係る環境制御装置を示した斜視図、（ｂ）は、（ａ）の環境制御装置の一部を拡大、分解して示した斜視図である。
【図１８】（ａ）は、本発明の第１０実施形態に係る環境制御装置を示した斜視図、（ｂ）は、（ａ）の環境制御装置の一部を分解して示した斜視図である。
【図１９】本発明の第１１実施形態に係る環境制御装置を示した斜視図である。
【図２０】本発明の第１２実施形態に係る環境制御装置を示した斜視図である。
【図２１】（ａ）は、本発明の第１３実施形態に係る環境制御装置を示した斜視図、（ｂ）は、（ａ）の環境制御装置の一部を拡大、分解して示した斜視図である。
【図２２】（ａ）本発明のその他の実施形態に係る吸引ユニットの斜視図、（ｂ）また別の吸引ユニットの斜視図、（ｃ）（ｂ）の吸引ユニットを用いた吸引部の斜視図である。
【図２３】本発明のブロック式吸引ユニットの他の例である。
【図２４】本発明のブロック式吸引ユニットの他の例である。
【図２５】本発明の吸引ユニットの蓋の他の例である。
【図２６】本発明の吸引ブロックの他の例を示す分解斜視図である。
【図２７】本発明の第１４実施形態に係る環境制御装置を示した系統図である。
【図２８】（ａ）図２７の吸引部、及び給気部の斜視図である。（ｂ）（ａ）の分解斜視図である。
【図２９】本発明の第１５実施形態に係る（ａ）環境制御装置の系統図、（ｂ）（ａ）の給気ブロックの分解斜視図である。
【図３０】本発明の第１実施形態に係る吸引ユニットの（ａ）平面図、（ｂ）右側面図、（ｃ）正面図、（ｄ）底面図、（ｅ）（ａ）の■−■線断面図、（ｆ）（ｅ）の■−■部拡大図である。ここで、左側面図は右側面図と同様に、背面図は正面図と同様に表れるため省略している。
【発明を実施するための形態】
【００１８】
以下、適宜図面を用いながら本発明の実施形態について詳述する。尚、本発明は、以下の実施形態に限られるものではない。
（第１実施形態）
図１は、本発明の第１実施形態に係る環境制御装置１００を示している。環境制御装置１００は、クリーンルームや無菌室等に設置され、吸引部１と、送気部２と、給気部３とを主に備える他、送気部２から給気部３へ空気を流送するプルファンユニット４とを備えている。尚、以下の説明において、吸引部１から吸引され給気部３から室内へ給気されるまでの空気を「還気」ともいう。
【００１９】
吸引部１は、図７に示すように、一又は複数の吸引ユニット１０を既設の床上に組立てることにより形成される。吸引ユニット１０は、図２、及び図３０に示すように、底面が正方形をなし上方が開口した扁平直方体状の箱型からなる吸引ユニット本体１１と、吸引ユニット本体１１の上部開口１１ｄを塞ぐ正方形の板状の蓋１２とを有している。吸引ユニット１０は、ステンレスやアルミニウム等の金属の他、いわゆるサンドイッチパネルや繊維強化プラスチック等、公知の材料を適宜に選択して形成される。吸引ユニット１０の具体的な寸法としては、例えば、縦横の長さが３０〜１００ｃｍで、高さが３〜１０ｃｍである。
【００２０】
吸引ユニット本体１１の対向する一対の側壁１１ａ，１１ａには、隣接する吸引ユニット本体１１や後述する送気ユニット２０と還気を送受するための矩形の貫通孔からなる連絡口１１ｂと、隣接する吸引ユニット本体１１や、後述する送気ユニット２０とボルトナット等の固定具で連結固定するための貫通孔１１ｃとが設けられ、吸引ユニット本体１１の開口部１１ｄ内周縁には、内向きに延出する鍔状部１１ｅが設けられている。また、吸引ユニット本体１１の底面１１ｆの４隅には、ボルト回りにナットを回転させて吸引ユニット本体１１の高さ調整を行う高さ調整具（不図示）のボルトを挿通する貫通孔１１ｇが設けられている。貫通孔１１ｇは、図３に示すように、底面１１ｆより上方（吸引ユニット本体１１の内側）へ隆起した隆起部１１ｈを備えており、また、連絡口１１ｂの下縁は、底面１１ｆより高い位置に設けられているため、吸引ユニット本体１１内にこぼれた液体が外部へ広がることが抑制される。
【００２１】
吸引部１の末端部となる吸引ユニット１０の末端側の連絡口１１ｂは、図７に示すように、盲蓋１３により閉塞される。盲蓋は、吸引ユニットの内側から連絡口を塞ぐようにしてもよく、内外何れの側からでも連絡口を塞ぐことができるものが好ましい。
本発明の吸引ユニットは、このように連絡口を塞ぐ盲蓋を有するため、内側に液体がこぼれた際に、盲蓋をすることで外部に液体を流出させずに当該吸引ユニットを取り外すことができる。また、本発明の吸引ユニットは、蓋を吸引口の無い蓋に交換し、連絡口を全て盲蓋で塞いだ状態で、送気部へ連結して内部を吸引することで、簡易に内部を清掃することができる。
【００２２】
蓋１２は、図５に示すように、パンチングプレートを用いて略正方形の板状に形成される。蓋１２は、図２に示すように、吸引ユニット本体１１と縦横の寸法を略同じくし、吸引ユニット本体１１と縦横の端辺を揃えた状態で鍔状部１１ｅに載置される。蓋１２は、全面に配列された多数の吸引孔１２ａを備え、吸引孔１２ａを介して吸引ユニット１０内に室内空気が吸引される。蓋は、吸引孔を有すれば特に限定されず、パンチングプレートの他に、例えば、図２２（ａ）に示した吸引ブロック１４１０の蓋１４１２のようにグレーチング材を用いることもできる。蓋は、吸引ユニット本体１１にボルトナット等の固定具等により固定してもよく、図２５の符号１２Ｂで示す蓋のように、下面側に吸引ユニット本体１１の開口部１１ｄの周縁に係止して蓋１２Ｂの横滑りを防止する係止部１２ｂを備えてもよい。
【００２３】
吸引ユニット１０は、ブロック式に構成されているため、室内の清浄を必要とする空間のみに敷設することが可能で、本実施形態では、図１に示すように、ベッドＢの近傍の床にのみ吸引ユニット１０が敷設されている。室内の清浄を必要としない部分の床には、フリーアクセス等の高さ調整部材５が設けられ吸引ユニット１０と床面との段差が解消される。また、吸引ユニット本体１１は、床面に固定せずに載置されており、側面がフラットで、底面１１ｆと開口部１１ｄ周縁が略同一形状の直柱状をなすため、そのまま上方へ引抜くことができる。
【００２４】
送気部２は、一又は複数（図１の例では３個）の送気ユニット２０により形成される。送気ユニット２０は、図６に示すように、ステンレス等の金属により扁平直方体状の中空箱型に形成され、床から天井裏まで延びる長さを有している。送気ユニット２０は、設置時に部屋の壁面と反対側となる表壁２０ａの下部に設けられ吸引ユニット１０から還気を流入させる矩形の流入口２０ｂと、表壁２０ａの上部に設けられ給気部３側へ還気を流出させる矩形の流出口２０ｃとを有している。
【００２５】
送気ユニット２０は、流入口２０ｂを吸引ユニット１０の連絡口１１ｂに重ね合わせるようにして吸引ユニット１０と連結され、流出口２０ｃに給気部３へ還気を流送するプルファンユニット４が連結される。プルファンユニット４の内部には、送気ユニット２０内部から還気を吸引するプルファン（不図示）が設けられている。プルファンユニット４の内部には、その他空気の殺菌を行う殺菌灯や電気集塵機等を設けることができる。
【００２６】
給気部３は、二重天井の内側に設けられ、図１に示すように、吸引ユニット１０が配設された床面の直上に対向して配設される一又は複数（図1の例では４個）のファンフィルタユニット３０と、ファンフィルタユニット３０の上流側に隣接して設けられるディストリビュータ３１と、プルファンユニット４とディストリビュータ３１を連絡する還気ダクト３２と、を有し、還気ダクト３２からの還気をディストリビュータ３１からファンフィルタユニット３０へ分配するよう構成されている。
【００２７】
ファンフィルタユニット３０は、内部にプッッシュファンと、該プッシュファンの下流側に設けられるＨＥＰＡフィルタが設けられ、ディストリビュータ３１から流送された空気からＨＥＰＡフィルタで塵埃を除去して、室内へ向け鉛直下向きに給気するよう構成されている。尚、ファンフィルタユニット３０には、温湿度調整ユニットを設けることができる。
【００２８】
環境制御装置１００は、上述した構成によって、プルファンユニット４により送気ユニット２０を介して吸引ユニット１０の吸引孔１２ａから吸引された空気が還気ダクト３２及びディストリビュータ３１を介してファンフィルタユニット３０へ流送され、ファンフィルタユニット３０内のプッシュファン及びＨＥＰＡフィルタにより除塵されながら室内へ給気される。室内へ給気された空気は、床の吸引部１の吸引口１２ａから吸引される。こうして室内に垂直層流が形成される。
【００２９】
以上説明したように、環境制御装置１００では、吸引ユニット１０及び送気ユニット２０がブロック式に構成されているため室内の必要な場所にのみ設置することができ、室内の障害物を容易に回避することできる。また、吸引ユニット１０及び送気ユニット２０は中空の箱型をなすため、連結することでダクトの働きをすることができる。
【００３０】
（第２実施形態）
図８は、本発明の第２実施形態に係る環境制御装置２００を示している。環境制御装置２００は、吸引部２０１から吸引した空気を、送気部２０２を介し給気部２０３から室内へ給気するまでの間に、温湿度の調整を行う図外の温湿度調整手段を備えている。
尚、第２実施形態以降の実施形態において先に説明する実施形態と共通する部材については同一符号を付して説明を省略する。
【００３１】
第２実施形態では、図８及び図９に示すように、吸引部２０１の中央部２０１ａと壁際部２０１ｂに吸引孔１２ａ付きの蓋１２を備えた吸引ユニット１０が配設され、中央部２０１ａと壁際部２０１ｂの間の中間部２０１ｃに、図８（ｂ）に示した吸引孔の無い蓋２１２を吸引ユニット本体１１に被せたダクトユニット２１４が配設されている。給気部２０３のファンフィルタユニット３０は、図８に示すように、中央部２０１ａの直上に設けられている。ここで、ダクトユニット２１４は、送気ユニット２０と離間した位置にある吸引ユニット１０と送気ユニット２０とを連絡する還気ダクトとして作用している。
【００３２】
このように、部屋の中央に吸引ユニット１０と給気ユニット３０とを配設することで部屋の中央近傍の温湿度等を確保する一方で、高い温湿度制御を必要としない壁際部２０１ｂにも吸引ユニット１０を配設することで壁際部２０１ｂからも室内空気を吸引して空気の流れを部屋全体に行き渡らせ、室内全体の温湿度を均一に保つことができる。
【００３３】
（第３実施形態）
図１０は、本発明の第３実施形態に係る環境制御装置３００を示している。環境制御装置３００は、有機溶剤Ｄを取り扱うドラフトチャンバーＣが設置された部屋に設けられ、ドラフトチャンバーＣの手前側の直下に設けられる吸引ユニット１０、及びドラフトチャンバーＣの下に敷設されたダクトユニット２１４からなる吸引部３０１と、ドラフトチャンバーＣ背後の壁面に並列される３個の送気ユニット３２０からなる送気部３０２と、送気ユニット３２０により流送された空気を排気する排気部３０６とを備えている。
【００３４】
ドラフトチャンバーＣから有機溶剤Ｄが漏れ落ちると、蒸発した有機溶剤Ｄは空気より比重が大きいため床に滞留する。この蒸発した有機溶剤Ｄを室内空気とともに吸引ユニット１０から吸引し、ダクトユニット２１４、及び送気ユニット３２０を介して排気部３０６へ流送する。排気部３０６へ流送された空気は有機溶剤Ｄを除去したのち室外へ排出される。
【００３５】
（第４実施形態）
図１１は、本発明の第４実施形態に係る水平層流式の環境制御装置４００である。環境制御装置４００は、病室の側壁の１つに設けられる吸引部４０１と、吸引部４０１と室内を挟んで対抗する側壁に設けられる給気部４０３と、天井側に設けられ吸引部４０１から給気部４０３へ空気を還流する送気部４０２とを備えている。
【００３６】
吸引部４０１は、吸引ユニット４１０を一又は複数本（図示の例では２本）並列して形成されている。吸引ユニット４１０は、図１１（ｃ）に示すように、ステンレス等の金属により中空の扁平直方体からなる箱状に形成され、室内側となる表面４１０ａに多数の吸引孔４１０ｂが設けられ、表面４１０ａの上部に送気部４０２へ空気を還流する連絡口４１０ｃが設けられている。
【００３７】
給気部４０３は、図１１に示すように、ステンレス等の金属により中空の扁平直方体状をなす箱型に形成された大小３種類の給気ユニット４３０Ａ，４３０Ｂ，４３０Ｃ（合わせて４３０とも記す）を各２個ずつ並べて、壁面のＯＡＶをかわすための窓部４３０ｃが設けられている。給気ユニット４３０は、室内側となる表面４３０ａに多数の給気孔４３０ｂが設けられ、隣接する送気部４０２や他の給気ユニット４３０との結合部分には、吸引ユニット１０の連絡口１１ｂや送気ユニット２０の流入口２０ｂ、流出口２０ｃと同様の空気を送受する連絡口４３０ｃ，４３０ｄが設けられている。
【００３８】
送気部４０２は、吸引部４０１側にプルファンを備え、給気部４０３側にプッシュファンとＨＥＰＡフィルタを備える他、温湿度調整ユニットや殺菌灯、電気集塵機、イオンクラスター（いずれも不図示）を備えている。
【００３９】
送気部４０２内のプルファン及びプッシュファンにより吸引孔４１０ｂから吸引ユニット４１０内に吸引されて送気部４０２内で除塵、殺菌、及び温湿度の調整等をされた空気は、給気ユニット４３０へ還流されたのち給気孔４３０ｂから室内へ噴出する。室内へ噴出した空気は、吸引ユニット４１０の吸引孔４１０ｂに吸引されることにより、図１１に矢印で示したように、室内に水平層流を生じる。
【００４０】
本実施形態の吸引ユニット４１０及び給気ユニット４３０は、上述したようにブロック式に構成されており、種々の形状のものを予め用意することができるため、既存の壁面の障害物を回避しながら容易に設置することができる。また、床面に吸引部を設けることができず垂直層流式の環境制御装置を設けられない場合であっても、壁面を利用して水平層流式を採用することができるため、既存の病室等を容易に清浄度の高いクリーンルームに改装できる。
【００４１】
（第５実施形態）
図１２は、本発明の第５実施形態に係る環境制御装置５００を示している。環境制御装置５００では、給気部５０３を側壁と天井の間の角部に設け、給気部５０３と室内を挟んで対抗する反対側の側壁と床の間の角部に吸引部５０１を設けている。図１３に示すように、吸引部５０１を構成する吸引ユニット５１０、及び給気部５０３を構成する給気ユニット５３０は三角柱状の中空箱体に形成され、給気ユニット５３０は、図１２に示すように、内部にプッシュファン１７とＨＥＰＡフィルタ１８を備えている。このように、部屋の対角に吸引部５０１と給気部５０３を設けることにより、壁面の障害物を回避しながら、室内に対角方向の層流を形成することができる。尚、図１３中、符号５１１ｂ、５３０ｃは、連絡口を示している。
【００４２】
（第６実施形態）
図１４は、本発明の第６実施形態に係る環境制御装置６００を示している。環境制御装置６００は、床面に吸引部６０１を、側壁に送気部６０２を、天井に給気部６０３を設けている。第６実施形態においても第４実施形態同様、床面の壁際部６０１ａと中央部の一部６０１ｂに吸引ユニット１０が配設されているが、第４実施形態と異なり壁際部６０１ａの上部に満遍なく複数のファンフィルタユニット３０が配設されている。
【００４３】
第６実施形態では、このようにファンフィルタユニット３０を壁際にも満遍なく配設することで、室内各部の温湿度分布のばらつきを一層効果的に抑制することができる。
【００４４】
（第７実施形態）
図１５は、本発明の第７実施形態に係る環境制御装置７００を示している。環境制御装置７００は、第５実施形態で用いた三角柱状の吸引ユニット５１０を、部屋を挟んで対向する両方の壁の床側端部に配設し、天井中央の給気ユニット３０から下方に噴出される給気を吸引ユニット５１０で吸引することにより、給気ユニット３０から給気される清浄な空気の到達距離を高めている。
【００４５】
（第８実施形態）
図１６は、本発明の第８実施形態に係る環境制御装置８００を示している。環境制御装置８００は、バケツに入れた有機溶剤を一時的に保管するビニールユニットＨを備えた室内に設置され、吸引部８０１と、送気ユニット８２０からなる送気部８０２と、排気部８０６とを備えている。吸引部８０１は、ビニールユニットＨが載置される床面に敷設される吸引ユニット１０とビニールユニットＨの背面側の側壁に配設される吸引ユニット８１０Ａ，８１０Ｂとを有している。気化した有機溶剤は、ビニールユニットＨの下方と後方から吸引部８０１へ吸引され、共に吸引された空気と共に送気ユニット８２０を介して排気部８０６へ送られる。排気部８０６からは、有機溶剤を除去した空気が排気される。尚、図１６中、符号８２０ｃは、送気ブロック８２０の流出口を示している。
【００４６】
送気ユニット８２０と吸引ユニット８１０は、後述する実施形態１１の吸引ユニット１１１０で代用してもよい。この場合、吸引ユニット１１１０が排気部８０６に直接連結されるため、排気ブロック８０６が特許請求の範囲で言うところの「送気ユニット」に相当する。
【００４７】
（第９実施形態）
図１７は、本発明の第９実施形態に係る環境制御装置９００を示している。環境制御装置９００は、第７実施形態における三角柱型の吸引ユニット５１０の代わりに薄型の吸引ユニット９１０を用いたもので、第７実施形態と同様気流の到達距離を伸ばして塵埃の滞留を防止する他に、吸引ユニットと床面との段差による弊害を緩和することを目的としている。吸引ユニット９１０は、一体成型された中空の長板状であり、上壁に多数の吸引口９１０ａが設けられ、図１７（ｂ）に示すように、送気ユニット９２０と連結される背面に連絡口９１０ｂが設けられている。吸引ユニット９１０の前側端部は、床面との段差による弊害をさらに緩和するために断面が円弧状の傾斜が形成されている。第９実施形態の送気部９０２の送気ユニット９２０は、薄型の吸引ユニット９１０の連絡口９１０ｂに対応した流入口９２０ｂを備えている。尚、図１７において、流出口２０ｃに連結される部材は省略しており、同様に、他の図においても説明に不要な部分は省略する。
【００４８】
（第１０実施形態）
図１８は、本発明の第１０実施形態に係る環境制御装置１０００を示している。環境制御装置１０００は、塵埃や細菌等を発生する機器Ｍの周辺の空間を清浄するために設けられ、機器Ｍを挟んで両側の床面に配設された薄型の吸引ユニット１０１０Ａ及び１０１０Ｂの上面の吸引口１０１０ａから室内空気を吸引する。吸引ユニット１０１０Ａと吸引ユニット１０１０Ｂは、中空の扁平直方体状をなし機器Ｍを載置するフラットユニット１０４０により連結されており、吸引ユニット１０１０Ａ、吸引ユニット１０１０Ｂ、及びフラットユニット１０４０の連結部には還気を流送する連絡口９１０ｂが設けられている。吸引ユニット１０１０Ａ、吸引ユニット１０１０Ｂ、及びフラットユニット１０４０のセットは部屋の４隅に設けられ、各セットに１つの送気ユニット９２０が設けられている。  尚、図１９中の符号１００１は当該４セットを、符号１００２は４つの送気ユニット９２０を、まとめて指し示す。
【００４９】
吸引ユニット１０１０Ｂから吸引された空気は、フラットユニット１０４０を通って、吸引ユニット１０１０Ａから吸引された空気と共に送気部１００２の送気ユニット９２０へ流送される。吸引ユニット１０１０Ａ，１０１０Ｂ、及びフラットユニット１０４０の敷設部以外の床面には段差を解消するための高さ調整部材１００５が設けられている。  尚、機器Ｍとしては、植物育成棚や動物飼育ラック、クリーンベンチ、安全キャビネット、試薬棚、各種のストッカーが挙げられる。
【００５０】
（第１１実施形態）
図１９に示した環境制御装置１１００は、病室の側壁に設けた給気部１１０３と給気部１１０３に向かい合う側壁に設けた吸引部１１０１とを備えた水平層流式である。本実施形態では、吸引ユニット１１１０を間隔をおいて配設しているが、給気ユニット１１３０の真向かいに加え、部屋の隅や凹所等、空気の滞留し易い場所に吸引ユニット１１１０を配設することで効果的に気流を形成できるため、壁一面に吸引ユニット１１１０を配設する場合に近似した効果を得ることができる。
尚、符号１１１０ｂ、１１３０ｂは連絡口を、符号Ｌ、Ｏはそれぞれトイレ・バスユニットとＯＡＶを示している。
【００５１】
（第１２実施形態）
図２０に示した環境制御装置１２００は、塵埃の発生し易いベッドＢの直上に給気部１２０３（給気ユニット１２３０）を配設し、ベッドＢの両側方の床面に薄型の吸引ユニット１０１０Ａ及び１０１０Ｂを配するとともにベッドＢ周辺で最も空気の滞留し易い足元方向の床面に薄型の吸引ユニット９１０を配設することで、少ない吸引パネルで効果的に気流を形成するよう構成されている。尚、符号１２０１は吸引部を全体的に示し、吸引ユニット１０１０Ａ、１０１０Ｂ、９１０、及びフラットユニット１０４０をまとめて指している。
【００５２】
（第１３実施形態）
図２１に示した制御装置１３００は、ベッドＢを囲む３方の側壁下端の床面に配した薄型の吸引ユニット９１０及び１３１０Ａ、１３１０Ｂからなる吸引部１３０１を部屋の２側面のみに配した送気ユニット９２０，１３２０からなる送気部１３０２に連結し、ベッドＢ直上に給気部１３０３（給気ユニット１３３０）を配している。図２１（ｂ）に示すように、吸引ユニット１３１０Ａは長手方向の端面の一方に、吸引ユニット１３１０Ｂは長手方向の両端面に連絡口１３１０ｂが設けられ、送気ブロック１３２０の下端には、連絡口１３１０ｂに対応する流入口１３２０ｂが設けられている。環境制御装置１３００では、塵埃が発生し易いベッドＢの近傍であり、かつ空気の滞留し易い場所に吸引パネルを設置することで、少ない吸引パネルであっても効果的に室内環境の制御が可能な気流を形成することができる。
【００５３】
（第１４実施形態）
図２７は、本発明の第１４実施形態に係る水平層流式の環境制御装置１９００を示している。環境制御装置１９００では、吸引部１９０１の吸引ユニット１９１０と、給気部１９０３の給気ユニット１９３０の内部にＨＥＰＡフィルタ１８が設けられている。このように室内に面する吸引ユニットや給気ユニットにＨＥＰＡフィルタ１８を用いることで、室内で容易にＨＥＰＡフィルタ１８の交換を行うことができる。また、ＨＥＰＡフィルタ１８を交換するために、吸引ユニット１９１０や給気ユニット１９３０ごと交換し、室外でＨＥＰＡフィルタ１８を交換することもできる。尚、本実施形態では、図２８に示すように、吸引ユニット１９１０と給気ユニット１９３０は、共にユニット本体１９１１と、ＨＥＰＡフィルタ１８と、蓋１９１２とからなり、ＨＥＰＡフィルター１８の表裏の向きのみが異なる。また、吸引ユニット１９１０は、垂直層流式における床置き式の吸引ユニットとして用いることもできる。
【００５４】
（第１５実施形態）
図２９は、本発明の第１５実施形態に係る水平層流式の環境制御装置２０００を示している。環境制御装置２０００は、天井と壁の境界部分に設けられた給気部２０３０から給気を行い、反対側の壁に設けられた吸引部１９０１から吸気を行う乱流式である。給気ユニット２００３は、図２９（ｂ）に示すように、内部にＨＥＰＡフィルタ１８を備えている。尚、符号２０３１は給気ユニット本体を、符号２０３２ａは蓋を符号２０３０ｃは送気部１９０２と連結する連絡口を示している。
【００５５】
（その他の実施形態）
図２２（ａ）は、蓋１４１２としてグレーチングを用いた吸引ユニット１４１０を示し、図２２（ｂ）は、吸引ユニット１０の入らないスペース等に用いられる吸引ユニット１０と高さが同じで縦横が２分の１サイズの吸引ユニット１５１０を示している。図２２（ｃ）は、吸引ユニット１０と吸引ユニット１５１０を用いた吸引部１５０１を示し、符号１６１４は、吸引ユニット１５１０の蓋１５１２を吸引孔の無い蓋１６１２に交換したダクトユニットを示している。
障害物を回避して空気の流送方向を平面視で９０度変換する際は、図２３に示した、吸引ユニット本体１７１１の四方の側面に連絡口１１ｂを設けた吸引ユニット１７１０や、図示はしないが、吸引ユニット１０と略同形状で、３つの側面に連絡口１１ｂを設けた吸引ユニットが用いられる。また、１つの側面にのみ連絡口１１ｂを設けてもよく、吸引部の末端部に連絡口１１ｂが１つの側面にのみ設けられた吸引ユニット（不図示）を用いると、吸引部の末端に盲蓋を用いる必要が無くなる。
また、送気部の１つの流入口に連結された１本のダクトをなす一繋ぎの吸引ユニットを末端まで吸引口の無い蓋で開口部を閉塞すると、当該一繋ぎの吸引ユニットの内部を簡易に清掃できる。
また、図２６の吸引ブロック２１１０は、第１実施形態の吸引ブロック１０の内部に、ＨＥＰＡフィルター１８を設けた例である。
【００５６】
また、吸引ユニットは、図２４に示した吸引ユニット１８１０のように、凹部と凸部を嵌合させることにより、他の吸引ユニットや送気部と連結するようにしてもよい。吸引ユニット１８１０では、連絡口１８１１ａを吸引ユニット本体１８１１から外方へ突出させて矩形の貫通孔１８１１ｂに嵌入することにより、２個の吸引ユニット１８１１を連結する。こうすることで、簡単に隣接する吸引ユニットどうしを連結することができる。給気ユニットや送気ユニットも、同様に凹凸構造により連結する構造としてもよい。
【００５７】
また、吸引ユニットは蓋を有さなくてもよいし、送気ユニット及び給気ユニットに蓋を設けてもよい。各ブロック式ユニットは、本発明の趣旨を逸脱しない範囲であれば、上記の設置対象面となる床や壁に接する面として、正方形や長方形に限らず、部屋の形状や障害物の位置に合わせて台形や菱型等の四角形の他、公知の多角形や外周の一部又は全部を曲線とした形状を用いてもよい。各ブロック式ユニットの全体形状としては、直方体状や三角柱状に限らず、各種の立体形状を適宜に用いることができる。また、吸引ユニット、送気ユニット、及び給気ユニットのうちの１つのユニットが、他のユニットを兼ねてもよいし、他のユニットに転用可能に構成してもよい。
【符号の説明】
【００５８】
１００，２００，３００，４００，５００，６００，７００，８００，９００，１０００，１１００，１２００，１３００，１９００，２０００  環境制御装置
１，２０１，３０１，４０１，５０１，６０１，７０１，８０１，９０１，１００１，１１０１，１２０１，１３０１，１５０１，１９０１  吸引部
１０，４１０，５１０，８１０，９１０，１０１０Ａ，１０１０Ｂ，１１１０，１３１０，１４１０，１５１０，１７１０，１８１０，１９１０  吸引ユニット
１１，５１１，１５１１，１７１１，１８１１，１９１１  吸引ユニット本体
１２，１２Ｂ，５１２，１４１２，１５１２，１８１２，１９１２，２０３２  蓋
１２ａ，４１０ｂ，５１０ｂ，８１０ａ，９１０ａ，１１１０ａ，１３１０ａ，１４１２ａ，１５１２ａ，１８１２ａ，１９１２ａ，２０３２ａ  吸引孔
１１ｂ，４３０ｃ，４３０ｄ，５１１ｂ，５１３ｃ，９１０ｂ，１１１０ｂ，１１３０ｂ，１５１１ｂ，１８１１ａ，１８１１ｂ  連絡口
２，２０２，３０２，４０２，５０２，６０２，７０２，８０２，９０２，１００２，１２０２，１３０２，１９０２  送気部
２０，３２０，８２０，９２０  送気ユニット
２０ｂ，９２０ｂ，１３２０ｂ  流入口
２０ｃ，８２０ｃ  流出口
３，２０３，４０３，５０３，６０３，７０３，１１０３，１２０３，１３０３，２００３  給気部
４３０（４３０Ａ，４３０Ｂ，４３０Ｃ），５３０，２０３０  給気ユニット
４３０ｂ，５３０ｂ，１１３０ａ，２０３２ａ  給気孔
【要約】
既存の部屋において、簡易に還気経路の設置や変更が可能で、清掃や洗浄等メンテナンスの容易な環境制御装置、及びその構成部材を提供する。
本発明の吸引ユニット１０は、中空の箱状をなし、室内から空気を吸引する吸引孔１２ａと、隣接する吸引ユニット１０又は送気部３と空気を送受する連絡口１１ｂとを備え、送気ユニット２０は、中空の箱状をなし、吸引ユニット１０から空気が流入する流入口２０ｂと、給気部３へ空気が流出する流出口２０ｃと有し、給気ユニットは室内の側壁に設けられ、中空の箱状をなし、室内へ空気を供給する給気孔と、空気を送受する連絡口と、を備える。いずれのユニットも隣接する装置と着脱自在なブロック状に構成されている。本発明の環境制御装置は、上記のブロック式ユニットの少なくとも１種を備える。【図１】
0005802855.tif 000002
【図２】
0005802855.tif 000003
【図３】
0005802855.tif 000004
【図４】
0005802855.tif 000005
【図５】
0005802855.tif 000006
【図６】
0005802855.tif 000007
【図７】
0005802855.tif 000008
【図８】
0005802855.tif 000009
【図９】
0005802855.tif 000010
【図１０】
0005802855.tif 000011
【図１１】
0005802855.tif 000012
【図１２】
0005802855.tif 000013
【図１３】
0005802855.tif 000014
【図１４】
0005802855.tif 000015
【図１５】
0005802855.tif 000016
【図１６】
0005802855.tif 000017
【図１７】
0005802855.tif 000018
【図１８】
0005802855.tif 000019
【図１９】
0005802855.tif 000020
【図２０】
0005802855.tif 000021
【図２１】
0005802855.tif 000022
【図２２】
0005802855.tif 000023
【図２３】
0005802855.tif 000024
【図２４】
0005802855.tif 000025
【図２５】
0005802855.tif 000026
【図２６】
0005802855.tif 000027
【図２７】
0005802855.tif 000028
【図２８】
0005802855.tif 000029
【図２９】
0005802855.tif 000030
【図３０】
0005802855.tif 000031